(57)【特許請求の範囲】
【請求項１】
弾力性のある素材からなり下端のフランジによりバッグインボックスの内袋の孔に取り付けられる円筒状のスパウトと、内袋に取り付けたスパウトから内袋の中に所定の内容液を充填した後でそのスパウトに嵌合固定して密封するための硬質の雌コネクターとからなり、当該雌コネクターは、雄コネクターを押し込んで固定するための円筒状内面とそれに連なる底部に突き破り可能な薄膜を設けた液体通過孔とを備え、前記スパウトは、その内壁の下部から内側上方に向けて凸状に延設されてその傾斜部に液体通過孔を有すると共に頂部には嵌合固定された雌コネクターの液体通過孔を下方から塞ぐ着座部を備えてなる弁を一体成形したことを特徴とするバッグインボックス用充填口。
【発明の詳細な説明】
【０００１】
【発明の属する技術分野】
本発明は、果汁、コーヒー等の自動販売機やディスペンサーに供給するシロップ用容器としてのバッグインボックスの技術分野に属するものである。
【０００２】
【従来の技術】
従来、例えばカップベンダーのシロップは、紙容器からの移し替えやステンレスタンクの交換により供給されていたが、最近になって、衛生面や製造工程の合理化（タンクの洗浄など）の観点から、バッグインボックスが利用されるようになってきた。このようなバッグインボックスから内容液を取り出すに際しては、内袋に取り付けた特殊な充填口の雌コネクターに取出し用の雄コネクターを接続するが、雌コネクターの薄膜を破って雄コネクターを一旦接続してしまうと、誤って雄コネクターが外れてしまった時などにシロップがこぼれてしまうということがあった。この事態を解決するため、例えば実公平７−１８６１４号公報に見られるように、充填口に逆止弁機能を持たせたものが開発されている。
【０００３】
上記の公報に開示された充填口は、下端のフランジにより内袋の孔に取り付けられる円筒状のスパウトと、このスパウトの開口に嵌合固定される雌コネクターとから構成されており、当該雌コネクターは雄コネクター挿入用の円筒状内面とそれに連なる底部に突き破り可能な薄膜を設けた液体通過孔とを有し、雌コネクターの下部には液体通過孔を下方から塞ぐ着座部をもつ弁を形成したキャップが螺合されている。すなわち、キャップはエチレン酢酸ビニル共重合体（ＥＶＡ）樹脂からなる弾力性のあるもので、その下端周囲から内側上方に向けて凸状に延設されてその傾斜部に液体通過孔を持つと共に頂部には嵌合固定された雌コネクターの液体通過孔を下方から塞ぐ着座部を持つ弁が設けられている。
【０００４】
【発明が解決しようとする課題】
従来の技術で述べたタイプの充填口では、雌コネクターにその液体通過孔を塞ぐための薄膜を設ける必要がある。このため、雌コネクターの液体通過孔を薄膜で塞いだ後で弁付きのキャップを取り付けることになる。また、弁には可撓性が必要であるため、雌コネクターと同じ材質に出来ないため、一体成形することができない。このように、従来の充填口では逆止弁機能を持たせるために雌コネクターに別パーツを組み付けた形態になっている。
【０００５】
本発明は、上記のような事情に鑑みてなされたものであり、その目的とするところは、逆止弁機能がありながらも、コンパクトで簡便なバッグインボックス用充填口を提供することにある。
【０００６】
【課題を解決するための手段】
上記目的を達成するため、本発明のバッグインボックス用充填口は、弾力性のある素材からなり下端のフランジによりバッグインボックスの内袋の孔に取り付けられる円筒状のスパウトと、内袋に取り付けたスパウトから内袋の中に所定の内容液を充填した後でそのスパウトに嵌合固定して密封するための硬質の雌コネクターとからなり、当該雌コネクターは、雄コネクターを押し込んで固定するための円筒状内面とそれに連なる底部に突き破り可能な薄膜を設けた液体通過孔とを備え、前記スパウトは、その内壁の下部から内側上方に向けて凸状に延設されてその傾斜部に液体通過孔を有すると共に頂部には嵌合固定された雌コネクターの液体通過孔を下方から塞ぐ着座部を備えてなる弁を一体成形したことを特徴とするものである。
【０００７】
【発明の実施の形態】
以下、図面を参照して本発明の実施形態を説明する。
【０００８】
図１は本発明に係るバッグインボックス用充填口の一例を示す断面図である。この図に示されるように、充填口は、円筒状のスパウト１０と、このスパウト１０に取り付けられる雌コネクター２０との組合せで構成される。
【０００９】
スパウト１０は、図２の平面図にも示すように円筒状で、雌コネクター２０を嵌合固定するための開口を有する筒状体１１の外周には段ボール等の外箱の厚さに合わせた取付け部を３つの輪状凸部１２，１３，１４によって形成している。さらに、最下端の輪状凸部１４には内袋Ｐに取り付けるためのフランジ１５が連設されている。一方、雌コネクター２０は雄コネクター挿入用の円筒状内面２１とそれに連なる底部に突き破り可能な薄膜Ｆを設けた液体通過孔２２とを備えている。そして、スパウト１０は、その内壁の下部から内側上方に向けて凸状に延設されてその傾斜部に液体通過孔１６を有すると共に頂部には嵌合固定された雌コネクター２０の液体通過孔２２を下方から塞ぐ着座部１７を備えてなる弁１８が一体成形されている。
【００１０】
スパウト１０はエチレン酢酸ビニル共重合体（ＥＶＡ）樹脂、低密度ポリエチレン（ＬＤＰＥ）、線状低密度ポリエチレン（ＬＬＤＰＥ）等を用いて成形されており、全体に可撓性を有し、特に弁１８は上から押すことによって下方に撓むようになっている。一方、雌コネクター２０は線状低密度ポリエチレン（ＬＬＤＰＥ）等を用いて成形されており、スパウト１０に比べると硬質なものになっている。したがって、スパウト１０に雌コネクター２０を嵌合して固定すると、図１に示す如く、スパウト１０に一体成形された弁１８の頂部にある着座部１７が雌コネクター２０の液体通過孔２２を下方から弾力をもって塞ぐようになされている。
【００１１】
上記の構成からなる充填口の使用方法は次のようである。まず、充填工場において、バッグインボックスの内袋Ｐにスパウト１０から所定の内容液を充填した後、そのスパウト１０に雌コネクター２０を嵌合固定して密封する。そして、このように充填されたバッグインボックスから内容液を注出するには、図３に示す如く雄コネクター３０を雌コネクター２０に押し込んで固定する。ここで、雄コネクター３０の先端部分３１は、雌コネクター２０の薄膜Ｆを突き破るようにするため、図示のように傾斜により尖った状態になっている。したがって、雄コネクター３０が雌コネクター２０の円筒状内面２１に沿ってある程度挿入されると、雄コネクター３０の先端部分３１が雌コネクター２０の薄膜Ｆを突き破り、さらに押し込むと、雄コネクター３０の先端部分３１がスパウト１０の弁１８を徐々に押し下げながら、雄コネクター３０の輪状凸部３２が雌コネクター２０の上面に当接するまで挿入され、図３に示すように弁１８が下方に向けて撓んだ状態になる。この注出状態で内容液がスパウト１０の液体通過孔１６を通り、さらに雄コネクター３０の内部を通って取り出される。
【００１２】
このような注出状態において誤って雄コネクター３０が外れた場合、雌コネクター２０においては薄膜Ｆが破れた流体通過孔２２が露出しようとするが、それと同時にスパウト１０の弁１８の撓みが戻り、その弁１８の着座部１７が雌コネクター２０の流体通過孔２２を下方から塞いで閉止状態になる。
【００１３】
なお、本発明で用いられる雌コネクターとその薄膜を突き破る雄コネクターは上記の例で説明したタイプに限定されるものではない。
【００１４】
【発明の効果】
以上説明したように、本発明のバッグインボックス用充填口は、弾力性のある素材からなり下端のフランジによりバッグインボックスの内袋の孔に取り付けられる円筒状のスパウトと、内袋に取り付けたスパウトから内袋の中に所定の内容液を充填した後でそのスパウトに嵌合固定して密封するための硬質の雌コネクターとからなり、当該雌コネクターは、雄コネクターを押し込んで固定するための円筒状内面とそれに連なる底部に突き破り可能な薄膜を設けた液体通過孔とを備え、前記スパウトは、その内壁の下部から内側上方に向けて凸状に延設されてその傾斜部に液体通過孔を有すると共に頂部には嵌合固定された雌コネクターの液体通過孔を下方から塞ぐ着座部を備えてなる弁を一体成形した構成としたことにより、弁を一体成形したスパウトと雌コネクターの２パーツを組み合わせるだけでよいことから、逆止弁機能がありながらも、構造が簡単でコストの低いものとなる。
【図面の簡単な説明】
【図１】本発明に係るバッグインボックス用充填口の一例を示す断面図である。
【図２】図１に示す充填口におけるスパウトの平面図である。
【図３】図１に示す充填口の使用状態を示す断面図である。
【符号の説明】
１０  スパウト
１１  筒状体
１２〜１４  輪状凸部
１５  フランジ
１６  液体通過孔
１７  着座部
１８  弁
２０  雌コネクター
２１  円筒状内面
２２  液体通過孔
３０  雄コネクター
３１  先端部
３２  輪状凸部
【図１】
0004333972.tif 000002
【図２】
0004333972.tif 000003
【図３】
0004333972.tif 000004